(57)【要約】【課題】大容量録画装置などの記録再生装置において、複数のユーザが共用する場合であっても、重複録画による記憶媒体の無駄遣いを回避する。【解決手段】記憶媒体に録画された番組ごとに、当該番組の所有権を示すユーザ識別用ヘッダＨ１を対応させる。各ユーザが録画しようとする番組に重複があるか否かをユーザ識別用ヘッダＨ１に基づいて判定し、重複した番組については記憶媒体に１回だけ録画する。録画済み番組を消去する際には、ユーザが消去しようとする番組の所有権が当該ユーザのみであるか否かをユーザ識別用ヘッダＨ１に基づいて判定する。ユーザが消去しようとする番組の所有権が当該ユーザのみでない場合に、当該番組のユーザ識別用ヘッダＨ１について当該ユーザのフラグを下げる。これにより、コピーワンスの番組を各ユーザが他のユーザに無断で消去することができ、番組消去時の利便性が向上する。【選択図】図６
2006079707.tif 000002
【特許請求の範囲】
【請求項１】
記憶媒体にコンテンツを記録する記録装置であって、
前記コンテンツごとに、当該コンテンツの所有権を示すユーザ識別用ヘッダを対応させる第１のヘッダ付与手段が設けられていることを特徴とする記録装置。
【請求項２】
前記コンテンツを構成するフレームごとに、当該フレームの所有権を示すユーザ識別用ヘッダを対応させる第２のヘッダ付与手段が設けられていることを特徴とする請求項１に記載の記録装置。
【請求項３】
請求項１又は２に記載の記録装置を用いて複数人のユーザがコンテンツを記録する際に適用されるデータ管理方法であって、
前記各ユーザが記録しようとするコンテンツに重複があるか否かを当該コンテンツのユーザ識別用ヘッダに基づいて判定する重複判定工程と、
重複したコンテンツについては前記記憶媒体に１回だけ記録するコンテンツ記録工程と
を含むことを特徴とするデータ管理方法。
【請求項４】
請求項１又は２に記載の記録装置を用いて記録されたコンテンツをユーザが消去する際に適用されるデータ管理方法であって、
前記ユーザが消去しようとするコンテンツの所有権が当該ユーザのみであるか否かを当該コンテンツのユーザ識別用ヘッダに基づいて判定するユーザ識別工程と、
前記ユーザが消去しようとするコンテンツの所有権が当該ユーザのみでない場合に、当該コンテンツのユーザ識別用ヘッダについて当該ユーザのフラグを下げるフラグ操作工程と
を含むことを特徴とするデータ管理方法。
【請求項５】
請求項２に記載の記録装置を用いて記録されたコンテンツをユーザが編集する際に適用されるデータ管理方法であって、
前記ユーザが編集しようとするコンテンツの所有権が当該ユーザのみであるか否かを当該コンテンツのユーザ識別用ヘッダに基づいて判定するユーザ識別工程と、
前記ユーザが編集しようとするコンテンツの所有権が当該ユーザのみでない場合に、当該コンテンツを構成する各フレームのユーザ識別用ヘッダについて当該ユーザのフラグを下げるフラグ操作工程と
を含むことを特徴とするデータ管理方法。
【請求項６】
記憶媒体にコンテンツを記録するとともに、前記記憶媒体に記録されたコンテンツを再生する記録再生装置であって、
前記コンテンツごとに、当該コンテンツの所有権を示すユーザ識別用ヘッダを対応させる第１のヘッダ付与手段が設けられていることを特徴とする記録再生装置。
【請求項７】
前記コンテンツを構成するフレームごとに、当該フレームの所有権を示すユーザ識別用ヘッダを対応させる第２のヘッダ付与手段が設けられていることを特徴とする請求項３に記載の記録再生装置。
【請求項８】
請求項６又は７に記載の記録再生装置を用いて記録されたコンテンツを第１のユーザが消去した後、このコンテンツを第２のユーザが再生する際に適用されるデータ管理方法であって、
前記第１のユーザが消去しようとするコンテンツの所有権が当該第１のユーザのみであるか否かを当該コンテンツのユーザ識別用ヘッダに基づいて判定するユーザ識別工程と、
前記第１のユーザが消去しようとするコンテンツの所有権が当該第１のユーザのみでない場合に、当該コンテンツのユーザ識別用ヘッダについて当該第１のユーザのフラグを下げるフラグ操作工程と、
前記第２のユーザが再生しようとするコンテンツを当該コンテンツのユーザ識別用ヘッダに基づいて再生するコンテンツ再生工程と
を含むことを特徴とするデータ管理方法。
【請求項９】
請求項７に記載の記録再生装置を用いて記録されたコンテンツを第１のユーザが編集した後、このコンテンツを第２のユーザが再生する際に適用されるデータ管理方法であって、
前記第１のユーザが編集しようとするコンテンツの所有権が当該第１のユーザのみであるか否かを当該コンテンツのユーザ識別用ヘッダに基づいて判定するユーザ識別工程と、
前記第１のユーザが編集しようとするコンテンツの所有権が当該第１のユーザのみでない場合に、当該コンテンツを構成するフレームのユーザ識別用ヘッダについて当該第１のユーザのフラグを下げるフラグ操作工程と、
前記第２のユーザが再生しようとするコンテンツを当該コンテンツのユーザ識別用ヘッダに基づいて再生するコンテンツ再生工程と
を含むことを特徴とするデータ管理方法。
【請求項１０】
請求項７に記載の記録再生装置を用いて記録されたコンテンツを第１のユーザが編集してからリムーバブルメディアにムーブした後、このコンテンツを第２のユーザが再生する際に適用されるデータ管理方法であって、
前記第１のユーザが編集しようとするコンテンツの所有権が当該第１のユーザのみであるか否かを当該コンテンツのユーザ識別用ヘッダに基づいて判定するユーザ識別工程と、
前記第１のユーザが編集しようとするコンテンツの所有権が当該第１のユーザのみでない場合に、当該コンテンツを構成するフレームのユーザ識別用ヘッダについて当該第１のユーザのフラグを下げるフラグ操作工程と、
前記第１のユーザがムーブしようとするコンテンツを構成する各フレームを当該フレームのユーザ識別用ヘッダに基づいて前記リムーバブルメディアと前記記憶媒体のいずれかに格納するフレーム格納工程と、
前記第２のユーザが再生しようとするコンテンツを誰がムーブしたかを知らせて前記リムーバブルメディアの装着を促すメディア装着促進工程と、
前記第２のユーザが再生しようとするコンテンツを構成する各フレームを当該フレームのユーザ識別用ヘッダに基づいて前記リムーバブルメディアと前記記憶媒体のいずれかから読み出して再生するコンテンツ再生工程と
を含むことを特徴とするデータ管理方法。
【発明の詳細な説明】
【技術分野】
【０００１】
本発明は、デジタル放送時代に適した大容量録画装置などの記録装置、記録再生装置およびデータ管理方法に関するものである。
【背景技術】
【０００２】
近年、地上デジタル放送やＢＳデジタル放送が普及する中で、ＥＰＧ（電子番組ガイド）を利用して番組録画を行うことが多くなってきている（例えば、特許文献１参照）。そして、番組の著作権を保護すべく、コピーワンス（１回だけ複製可能）の番組が増える傾向にある（例えば、特許文献２参照）。
【特許文献１】特開２００４−１６６２２０号公報
【特許文献２】特開２００３−１６９２７９号公報（段落〔０００５〕の欄）
【発明の開示】
【発明が解決しようとする課題】
【０００３】
しかし、これでは、複数のユーザが記録装置または記録再生装置を共用する場合に、複数のユーザで同じ番組を重複して録画してしまう恐れがある。この場合、ＨＤＤなどの記憶媒体の記憶領域が無駄に使われてしまい、非経済的であるという不都合があった。
【０００４】
本発明は、このような不都合を解消することが可能な、記録装置、記録再生装置およびデータ管理方法を提供することを目的とする。
【課題を解決するための手段】
【０００５】
まず、請求項１に係る発明は、記憶媒体にコンテンツを記録する記録装置であって、前記コンテンツごとに、当該コンテンツの所有権を示すユーザ識別用ヘッダを対応させる第１のヘッダ付与手段が設けられていることを特徴とする。
また、請求項２に係る発明は、前記コンテンツを構成するフレームごとに、当該フレームの所有権を示すユーザ識別用ヘッダを対応させる第２のヘッダ付与手段が設けられていることを特徴とする。
また、請求項３に係る発明は、請求項１又は２に記載の記録装置を用いて複数人のユーザがコンテンツを記録する際に適用されるデータ管理方法であって、前記各ユーザが記録しようとするコンテンツに重複があるか否かを当該コンテンツのユーザ識別用ヘッダに基づいて判定する重複判定工程と、重複したコンテンツについては前記記憶媒体に１回だけ記録するコンテンツ記録工程とを含むことを特徴とする。
また、請求項４に係る発明は、請求項１又は２に記載の記録装置を用いて記録されたコンテンツをユーザが消去する際に適用されるデータ管理方法であって、前記ユーザが消去しようとするコンテンツの所有権が当該ユーザのみであるか否かを当該コンテンツのユーザ識別用ヘッダに基づいて判定するユーザ識別工程と、前記ユーザが消去しようとするコンテンツの所有権が当該ユーザのみでない場合に、当該コンテンツのユーザ識別用ヘッダについて当該ユーザのフラグを下げるフラグ操作工程とを含むことを特徴とする。
また、請求項５に係る発明は、請求項２に記載の記録装置を用いて記録されたコンテンツをユーザが編集する際に適用されるデータ管理方法であって、前記ユーザが編集しようとするコンテンツの所有権が当該ユーザのみであるか否かを当該コンテンツのユーザ識別用ヘッダに基づいて判定するユーザ識別工程と、前記ユーザが編集しようとするコンテンツの所有権が当該ユーザのみでない場合に、当該コンテンツを構成する各フレームのユーザ識別用ヘッダについて当該ユーザのフラグを下げるフラグ操作工程とを含むことを特徴とする。
また、請求項６に係る発明は、記憶媒体にコンテンツを記録するとともに、前記記憶媒体に記録されたコンテンツを再生する記録再生装置であって、前記コンテンツごとに、当該コンテンツの所有権を示すユーザ識別用ヘッダを対応させる第１のヘッダ付与手段が設けられていることを特徴とする。
また、請求項７に係る発明は、前記コンテンツを構成するフレームごとに、当該フレームの所有権を示すユーザ識別用ヘッダを対応させる第２のヘッダ付与手段が設けられていることを特徴とする。
また、請求項８に係る発明は、請求項６又は７に記載の記録再生装置を用いて記録されたコンテンツを第１のユーザが消去した後、このコンテンツを第２のユーザが再生する際に適用されるデータ管理方法であって、前記第１のユーザが消去しようとするコンテンツの所有権が当該第１のユーザのみであるか否かを当該コンテンツのユーザ識別用ヘッダに基づいて判定するユーザ識別工程と、前記第１のユーザが消去しようとするコンテンツの所有権が当該第１のユーザのみでない場合に、当該コンテンツのユーザ識別用ヘッダについて当該第１のユーザのフラグを下げるフラグ操作工程と、前記第２のユーザが再生しようとするコンテンツを当該コンテンツのユーザ識別用ヘッダに基づいて再生するコンテンツ再生工程とを含むことを特徴とする。
また、請求項９に係る発明は、請求項７に記載の記録再生装置を用いて記録されたコンテンツを第１のユーザが編集した後、このコンテンツを第２のユーザが再生する際に適用されるデータ管理方法であって、前記第１のユーザが編集しようとするコンテンツの所有権が当該第１のユーザのみであるか否かを当該コンテンツのユーザ識別用ヘッダに基づいて判定するユーザ識別工程と、前記第１のユーザが編集しようとするコンテンツの所有権が当該第１のユーザのみでない場合に、当該コンテンツを構成するフレームのユーザ識別用ヘッダについて当該第１のユーザのフラグを下げるフラグ操作工程と、前記第２のユーザが再生しようとするコンテンツを当該コンテンツのユーザ識別用ヘッダに基づいて再生するコンテンツ再生工程とを含むことを特徴とする。
また、請求項１０に係る発明は、請求項７に記載の記録再生装置を用いて記録されたコンテンツを第１のユーザが編集してからリムーバブルメディアにムーブした後、このコンテンツを第２のユーザが再生する際に適用されるデータ管理方法であって、前記第１のユーザが編集しようとするコンテンツの所有権が当該第１のユーザのみであるか否かを当該コンテンツのユーザ識別用ヘッダに基づいて判定するユーザ識別工程と、前記第１のユーザが編集しようとするコンテンツの所有権が当該第１のユーザのみでない場合に、当該コンテンツを構成するフレームのユーザ識別用ヘッダについて当該第１のユーザのフラグを下げるフラグ操作工程と、前記第１のユーザがムーブしようとするコンテンツを構成する各フレームを当該フレームのユーザ識別用ヘッダに基づいて前記リムーバブルメディアと前記記憶媒体のいずれかに格納するフレーム格納工程と、前記第２のユーザが再生しようとするコンテンツを誰がムーブしたかを知らせて前記リムーバブルメディアの装着を促すメディア装着促進工程と、前記第２のユーザが再生しようとするコンテンツを構成する各フレームを当該フレームのユーザ識別用ヘッダに基づいて前記リムーバブルメディアと前記記憶媒体のいずれかから読み出して再生するコンテンツ再生工程とを含むことを特徴とする。
【発明の効果】
【０００６】
本発明によれば、複数のユーザが記録装置または記録再生装置を共用する場合であっても、重複記録による記憶媒体の無駄遣いを回避することができ、経済的である。
【０００７】
また、コピーワンスのコンテンツを各ユーザが他のユーザに無断で消去、編集またはムーブすることが可能となるため、コンテンツを取り扱う際の利便性が向上する。
【発明を実施するための最良の形態】
【０００８】
以下、本発明の実施形態を図面に基づいて説明する。
【０００９】
記録再生装置１は、図１に示すように、中央演算処理装置（ＣＰＵ）などの主制御部２を有しており、主制御部２にはバス線３を介して入力部５、表示部６、番組選定部７、ユーザ識別部９、ハードディスクドライブ（ＨＤＤ）１０、フレーム番号チェック部１１、デコード部１２、データ処理部１４が接続されている。さらに、フレーム番号チェック部１１にはバッファ１３を介して光ディスクドライブ１５が接続されている。また、ハードディスクドライブ１０には、図２に示す番組録画プログラムＰＲ１、図８に示す番組消去プログラムＰＲ２、図１１に示す番組編集プログラムＰＲ３、図１４に示す番組ムーブプログラムＰＲ４が格納されている。
【００１０】
記録再生装置１は以上のような構成を有するので、この記録再生装置１で２人のユーザＵ１、Ｕ２がコピーワンスの番組（地上デジタル放送やＢＳデジタル放送の番組など）を録画する際には、各ユーザＵ１、Ｕ２がそれぞれ、入力部５を操作して所望のキーワード（例えば、「海外ニュース」「山登り」など）を入力することにより、番組の録画予約を行う。すると、主制御部２は、図２に示す番組録画プログラムＰＲ１をハードディスクドライブ１０から読み出し、この番組録画プログラムＰＲ１に基づいて番組録画動作を実行する。
【００１１】
すなわち、まず、主制御部２は、番組選定部７に対してキーワード番組選定を指令する。これを受けて番組選定部７は、各ユーザＵ１、Ｕ２が入力したキーワードに関連する番組をそれぞれ選定し、図３に示すように、ユーザＵ１、Ｕ２ごとに表示部６に表示させる（番組録画プログラムＰＲ１のステップＳ１１、Ｓ１２）。図３は、ユーザＵ１向けに５つの番組「ＡＡＡ」「ＢＢＢ」「ＣＣＣ」「ＤＤＤ」「ＥＥＥ」が選定されて表示され、ユーザＵ２向けに５つの番組「ＦＦＦ」「ＧＧＧ」「ＢＢＢ」「ＨＨＨ」「ＪＪＪ」が選定されて表示された場合を例示したものであり、図４に示すように、番組「ＢＢＢ」はユーザＵ１、Ｕ２に共通している。
【００１２】
次いで、主制御部２は、これらの番組にそれぞれ８ビットのユーザ識別用ヘッダＨ１を対応させ、所有権が判るようにフラグを立てる。この８ビットのユーザ識別用ヘッダＨ１は、第１桁がユーザＵ１、第２桁がユーザＵ２、…、第８桁がユーザＵ８にそれぞれ対応し、８人のユーザＵ１〜Ｕ８まで対応可能となっている。例えば、番組「ＢＢＢ」については、ユーザＵ１、Ｕ２が共通して録画予約しているので、図５に示すように、その第１桁および第２桁を「１」として両方のユーザＵ１、Ｕ２のフラグを立てる。また、４つの番組「ＡＡＡ」「ＣＣＣ」「ＤＤＤ」「ＥＥＥ」については、ユーザＵ１のみが録画予約しているので、図６に示すように、その第１桁を「１」とするとともに、第２桁を「０」とする。さらに、４つの番組「ＦＦＦ」「ＧＧＧ」「ＨＨＨ」「ＪＪＪ」については、ユーザＵ２のみが録画予約しているので、図７に示すように、その第１桁を「０」とするとともに、第２桁を「１」とする。
【００１３】
その後、主制御部２は、ユーザ識別部９に対して番組重複判定を指令する。これを受けてユーザ識別部９は、各ユーザＵ１、Ｕ２が録画予約した番組に重複があるか否かを各番組のユーザ識別用ヘッダＨ１に基づいて判定する（番組録画プログラムＰＲ１のステップＳ１３）。
【００１４】
その結果、番組の重複が１つでもある場合、主制御部２は、データ処理部１４に対して番組の録画を指令する。これを受けてデータ処理部１４は、重複した番組と重複しない番組とを各々のユーザ識別用ヘッダＨ１に基づいてハードディスクドライブ１０に別個に録画する（番組録画プログラムＰＲ１のステップＳ１４、Ｓ１６）。その結果、重複した番組については１回しか録画されないので、重複録画によるハードディスクドライブ１０の無駄遣いを回避して経済性を向上させることができる。
【００１５】
他方、番組の重複が１つもない場合、主制御部２は、データ処理部１４に対して番組の録画を指令する。これを受けてデータ処理部１４は、すべての番組を各々のユーザ識別用ヘッダＨ１に基づいてハードディスクドライブ１０に別個に録画する（番組録画プログラムＰＲ１のステップＳ１５、Ｓ１７）。
【００１６】
ここで、番組録画動作が終了する。
【００１７】
こうして録画された番組、つまり録画済み番組を再生する際には、ユーザＵ１、Ｕ２が、入力部５を操作することにより、再生したい番組を特定して番組再生を命じる。すると、主制御部２は、データ処理部１４に対して番組再生を指令する。これを受けてデータ処理部１４は、ハードディスクドライブ１０から当該番組を読み出して再生する。
【００１８】
また、あるユーザ（ここでは、ユーザＵ２）が録画済み番組を消去する際には、このユーザＵ２が、入力部５を操作することにより、消去したい番組（ここでは、番組「ＢＢＢ」）を特定して番組消去を命じる。すると、主制御部２は、図８に示す番組消去プログラムＰＲ２をハードディスクドライブ１０から読み出し、この番組消去プログラムＰＲ２に基づいて番組消去動作を実行する。
【００１９】
すなわち、まず、主制御部２は、ユーザ識別部９に対して番組所有権確認を指令する。これを受けてユーザ識別部９は、この番組「ＢＢＢ」のユーザ識別用ヘッダＨ１に基づき、番組「ＢＢＢ」の所有権がユーザＵ２のみであるか否かを判定する（番組消去プログラムＰＲ２のステップＳ２１）。その結果、この番組「ＢＢＢ」の所有権がユーザＵ２のみである場合、番組消去によって他のユーザ（ここでは、ユーザＵ１）に迷惑が掛かる恐れはないので、主制御部２は、データ処理部１４に対してこの番組「ＢＢＢ」の消去を指令する。これを受けてデータ処理部１４は、この番組「ＢＢＢ」をハードディスクドライブ１０から消去する（番組消去プログラムＰＲ２のステップＳ２２）。
【００２０】
一方、この番組「ＢＢＢ」の所有権がユーザＵ２のみでない場合、番組消去によって他のユーザＵ１に迷惑が掛かる恐れがあるので、主制御部２は、図９に示すように、番組「ＢＢＢ」のユーザ識別用ヘッダＨ１について、第２桁を「１」から「０」に変更してユーザＵ２のフラグを下げるとともに（番組消去プログラムＰＲ２のステップＳ２３）、第１桁を「１」のまま保ってユーザＵ１のフラグが立った状態を維持する。このとき、番組「ＢＢＢ」自体は、消去されることなくハードディスクドライブ１０に残る。
【００２１】
ここで、番組消去動作が終了する。
【００２２】
こうしてユーザＵ２が番組「ＢＢＢ」を消去した場合、表示部６上のユーザＵ２用のブラウザには、図１０に示すように、４つの番組「ＦＦＦ」「ＧＧＧ」「ＨＨＨ」「ＪＪＪ」が表示され、ユーザＵ２が自ら消去した番組「ＢＢＢ」は表示されなくなる。
【００２３】
また、表示部６上の他のユーザＵ１用のブラウザには、図１０に示すように、依然として５つの番組「ＡＡＡ」「ＢＢＢ」「ＣＣＣ」「ＤＤＤ」「ＥＥＥ」が表示されるので、他のユーザＵ１は番組「ＢＢＢ」を引き続き再生することができる。すなわち、他のユーザＵ１が番組「ＢＢＢ」の再生を命じると、主制御部２は、データ処理部１４に対して番組再生を指令する。これを受けてデータ処理部１４は、ハードディスクドライブ１０から番組「ＢＢＢ」を読み出して再生する。
【００２４】
したがって、２人のユーザＵ１、Ｕ２が記録再生装置１を共用する場合であっても、コピーワンスの番組を各ユーザＵ１、Ｕ２が他のユーザＵ２、Ｕ１に無断で消去することが可能となり、番組消去時の利便性が向上する。
【００２５】
また、あるユーザ（ここでは、ユーザＵ２）が録画済み番組を編集する際には、このユーザＵ２が、入力部５を操作することにより、編集したい番組（ここでは、番組「ＢＢＢ」）を特定して番組編集を命じる。すると、主制御部２は、図１１に示す番組編集プログラムＰＲ３をハードディスクドライブ１０から読み出し、この番組編集プログラムＰＲ３に基づいて番組編集動作を実行する。
【００２６】
すなわち、まず、主制御部２は、ユーザ識別部９に対して番組所有権確認を指令する。これを受けてユーザ識別部９は、この番組「ＢＢＢ」のユーザ識別用ヘッダＨ１に基づき、番組「ＢＢＢ」の所有権がユーザＵ２のみであるか否かを判定する（番組編集プログラムＰＲ３のステップＳ３１）。その結果、この番組「ＢＢＢ」の所有権がユーザＵ２のみである場合、番組編集によって他のユーザ（ここでは、ユーザＵ１）に迷惑が掛かる恐れはないので、主制御部２は、ユーザＵ２に編集許可を与えるべく、その旨のメッセージを表示部６に表示する。これを見てユーザＵ２は、この番組「ＢＢＢ」について、シーンの分割、編集、削除を行う。
【００２７】
一方、この番組「ＢＢＢ」の所有権がユーザＵ２のみでない場合、主制御部２は、ユーザＵ２に編集許可を与えるべく、その旨のメッセージを表示部６に表示する。これを見てユーザＵ２は、この番組「ＢＢＢ」について、シーンの分割を行う。すると、主制御部２は、このユーザＵ２による番組編集によって他のユーザＵ１に迷惑が掛かる恐れがあるので、まず、図１２に示すように、このシーンの分割によって生成した各フレームＦ１、Ｆ２、…、ＦＮにユーザ識別用ヘッダＨ２を対応させる（番組編集プログラムＰＲ３のステップＳ３２）。この８ビットのユーザ識別用ヘッダＨ２は、第１桁がユーザＵ１、第２桁がユーザＵ２、…、第８桁がユーザＵ８にそれぞれ対応し、８人のユーザＵ１〜Ｕ８まで対応可能となっている。次いで、主制御部２は、番組「ＢＢＢ」の編集に伴って削除されるフレーム（ここでは、フレームＦ２）のユーザ識別用ヘッダＨ２について、第２桁を「１」から「０」に変更してユーザＵ２のフラグを下げるとともに（番組編集プログラムＰＲ３のステップＳ３３）、第１桁を「１」のまま保ってユーザＵ１のフラグが立った状態を維持する。このとき、フレームＦ２自体は、消去されることなくハードディスクドライブ１０に残る。
【００２８】
ここで、番組編集動作が終了する。
【００２９】
こうしてユーザＵ２が番組「ＢＢＢ」を編集した場合、表示部６上のユーザＵ２用のブラウザには、図１３に示すように、４つの番組「ＦＦＦ」「ＧＧＧ」「ＨＨＨ」「ＪＪＪ」とともに、編集済みの番組「ＢＢＢ」が表示される。
【００３０】
また、表示部６上の他のユーザＵ１用のブラウザには、図１３に示すように、４つの番組「ＡＡＡ」「ＣＣＣ」「ＤＤＤ」「ＥＥＥ」とともに、編集前の番組「ＢＢＢ」が表示されるので、他のユーザＵ１は、編集前の番組「ＢＢＢ」を引き続き再生することができる。すなわち、他のユーザＵ１が番組「ＢＢＢ」の再生を命じると、主制御部２は、データ処理部１４に対して番組再生を指令する。これを受けてデータ処理部１４は、ハードディスクドライブ１０から番組「ＢＢＢ」の全フレームＦ１、Ｆ２、…、ＦＮを読み出して再生する。
【００３１】
したがって、２人のユーザＵ１、Ｕ２が記録再生装置１を共用する場合であっても、コピーワンスの番組を各ユーザＵ１、Ｕ２が他のユーザＵ２、Ｕ１に無断で編集することが可能となり、番組編集時の利便性が向上する。
【００３２】
また、あるユーザ（ここでは、ユーザＵ２）が録画済み番組をＤＶＤ−ＲＷ（Digital Versatile Disc Rewritable）などの光ディスク１６にムーブする際には、このユーザＵ２が、光ディスクドライブ１５に光ディスク１６を格納した後、入力部５を操作することにより、ムーブしたい番組（ここでは、番組「ＢＢＢ」）を特定して番組ムーブを命じる。すると、主制御部２は、図１４に示す番組ムーブプログラムＰＲ４をハードディスクドライブ１０から読み出し、この番組ムーブプログラムＰＲ４に基づいて番組ムーブ動作を実行する。
【００３３】
すなわち、まず、主制御部２は、ユーザ識別部９に対して番組所有権確認を指令する。これを受けてユーザ識別部９は、この番組「ＢＢＢ」のユーザ識別用ヘッダＨ１に基づき、番組「ＢＢＢ」の所有権がユーザＵ２のみであるか否かを判定する（番組ムーブプログラムＰＲ４のステップＳ４１）。その結果、この番組「ＢＢＢ」の所有権がユーザＵ２のみである場合、番組ムーブによって他のユーザ（ここでは、ユーザＵ１）に迷惑が掛かる恐れはないので、主制御部２は、データ処理部１４に対してこの番組「ＢＢＢ」のムーブを指令する。これを受けてデータ処理部１４は、この番組「ＢＢＢ」をハードディスクドライブ１０から光ディスクドライブ１５中の光ディスク１６にムーブする（番組ムーブプログラムＰＲ４のステップＳ４２）。
【００３４】
一方、この番組「ＢＢＢ」の所有権がユーザＵ２のみでない場合、主制御部２は、この番組「ＢＢＢ」が編集されているか否かを各フレームＦ１、Ｆ２、…、ＦＮのユーザ識別用ヘッダＨ２に基づいて判定する（番組ムーブプログラムＰＲ４のステップＳ４３）。その結果、番組「ＢＢＢ」が編集されている場合、編集済みの番組「ＢＢＢ」をハードディスクドライブ１０から光ディスクドライブ１５中の光ディスク１６にムーブする（番組ムーブプログラムＰＲ４のステップＳ４４）。このとき、編集によって削除されたフレーム（ここでは、フレームＦ２）はハードディスクドライブ１０に残り、そのユーザ識別用ヘッダＨ２については、図１５に示すように、第１桁が「１」となり、第２桁が「０」となる。他方、フレームＦ２以外のフレーム（つまり、フレームＦ１、Ｆ３、Ｆ４、…、ＦＮ）は光ディスク１６にムーブされ、それらのユーザ識別用ヘッダＨ２については、図１６に示すように、第１桁および第２桁が「１」となる。また、番組「ＢＢＢ」が編集されていない場合、元の番組「ＢＢＢ」をハードディスクドライブ１０から光ディスクドライブ１５中の光ディスク１６にムーブする（番組ムーブプログラムＰＲ４のステップＳ４５）。
【００３５】
ここで、番組ムーブ動作が終了する。
【００３６】
こうして編集済みの番組「ＢＢＢ」がムーブされた場合、表示部６上のユーザＵ２用のブラウザには、図１７に示すように、４つの番組「ＦＦＦ」「ＧＧＧ」「ＨＨＨ」「ＪＪＪ」が表示され、ユーザＵ２が自らムーブした「ＢＢＢ」は表示されなくなる。
【００３７】
また、こうして編集済みの番組「ＢＢＢ」がムーブされた後、他のユーザＵ１が番組を再生する際には、入力部５を操作することにより、番組再生を命じる。すると、主制御部２は、表示部６に、図１８に示すように、４つの番組「ＡＡＡ」「ＣＣＣ」「ＤＤＤ」「ＥＥＥ」を表示するとともに、番組「ＢＢＢ」に関して、ユーザＵ２によってムーブされているため、その光ディスク１６を格納するよう促すメッセージを表示する。そこで、他のユーザＵ１が番組「ＢＢＢ」を再生するときには、ユーザＵ２の光ディスク１６（編集済みの番組「ＢＢＢ」をムーブした光ディスク１６）を光ディスクドライブ１５に格納し、番組「ＢＢＢ」の再生を命じる。
【００３８】
すると、主制御部２は、図１９に示すように、フレーム番号チェック部１１に対してフレーム番号チェックを指令する。これを受けてフレーム番号チェック部１１は、番組「ＢＢＢ」のフレームＦ２をハードディスクドライブ１０から読み出すとともに、番組「ＢＢＢ」のフレームＦ２以外のフレーム（つまり、フレームＦ１、Ｆ３、Ｆ４、Ｆ５、…）を光ディスク１６からバッファ１３経由で読み出し、これらをまとめてデコード部１２に出力する。これを受けてデコード部１２は、これらのフレームＦ１、Ｆ２、Ｆ３、…をデコードしてデータ処理部１４に出力する。これを受けてデータ処理部１４は、これらのフレームＦ１、Ｆ２、Ｆ３、…を再生する。その結果、他のユーザＵ１は番組「ＢＢＢ」を無事再生することができる。
【００３９】
したがって、２人のユーザＵ１、Ｕ２が記録再生装置１を共用する場合であっても、編集済みの番組を各ユーザＵ１、Ｕ２が他のユーザＵ２、Ｕ１に無断でムーブすることが可能となり、番組ムーブ時の利便性が向上する。
【００４０】
なお、上述の実施形態においては、ユーザＵ１、Ｕ２が２人である場合について説明したが、ユーザが３人以上である場合でも、ユーザの人数に対応したビット数（例えば、ユーザが４人である場合は４ビット以上、ユーザが６人である場合は６ビット以上）のユーザ識別用ヘッダＨ１、Ｈ２を用意すれば、同様な作用効果を得ることができる。
【００４１】
なお、上述の実施形態においては、記憶媒体としてハードディスクドライブ１０を備えた記録再生装置１について説明したが、ハードディスクドライブ１０以外の記憶媒体（例えば、大容量半導体メモリなど）を代用することも可能である。また、この記憶媒体は１種類である必要はなく、ハードディスク・ＤＶＤ・ビデオ一体型レコーダのように、３種類の記憶媒体を備えた記録再生装置１に本発明を適用することもできる。
【００４２】
なお、上述の実施形態においては、リムーバブルメディアとして光ディスク１６を用いた場合について説明したが、光ディスク１６以外のリムーバブルメディア（例えば、磁気ディスク、光磁気ディスクなど）を代用することも可能である。
【００４３】
なお、上述の実施形態においては、記録再生装置１、すなわち番組の録画機能と再生機能とを兼ね備えた装置について説明したが、番組の録画と再生とを別個の装置（記録装置および再生装置）で行う場合に本発明を適用することもできる。
【００４４】
なお、上述の実施形態においては、番組を録画する場合について説明したが、番組以外のコンテンツ（例えば、ライブ映像、ラジオ放送、VOD（Video On Demand）によるストリーミングなど）を記録する場合に本発明を適用することもできる。
【図面の簡単な説明】
【００４５】
【図１】本発明に係る記録再生装置の一実施形態を示す制御ブロック図である。
【図２】番組録画プログラムのフローチャートである。
【図３】ユーザ用の表示画面の一例を示す模式図である。
【図４】番組の重複関係を示す模式図である。
【図５】番組のユーザ識別用ヘッダの一例を示す模式図である。
【図６】番組のユーザ識別用ヘッダの別の例を示す模式図である。
【図７】番組のユーザ識別用ヘッダの別の例を示す模式図である。
【図８】番組消去プログラムのフローチャートである。
【図９】番組のユーザ識別用ヘッダの別の例を示す模式図である。
【図１０】ユーザ用の表示画面の別の例を示す模式図である。
【図１１】番組編集プログラムのフローチャートである。
【図１２】フレームのユーザ識別用ヘッダの一例を示す模式図である。
【図１３】ユーザ用の表示画面の別の例を示す模式図である。
【図１４】番組ムーブプログラムのフローチャートである。
【図１５】フレームのユーザ識別用ヘッダの別の例を示す模式図である。
【図１６】フレームのユーザ識別用ヘッダの別の例を示す模式図である。
【図１７】ユーザ用の表示画面の別の例を示す模式図である。
【図１８】ユーザ用の表示画面の別の例を示す模式図である。
【図１９】番組の再生方法を示す制御ブロック図である。
【符号の説明】
【００４６】
１……記録再生装置
２……主制御部（第１のヘッダ付与手段、第２のヘッダ付与手段）
１０……ハードディスクドライブ（記憶媒体）
１６……光ディスク（リムーバブルメディア）
Ｈ１、Ｈ２……ユーザ識別用ヘッダ
Ｆ１、Ｆ２、…、ＦＮ……フレーム
【図１】
2006079707.tif 000003
【図２】
2006079707.tif 000004
【図３】
2006079707.tif 000005
【図４】
2006079707.tif 000006
【図５】
2006079707.tif 000007
【図６】
2006079707.tif 000008
【図７】
2006079707.tif 000009
【図８】
2006079707.tif 000010
【図９】
2006079707.tif 000011
【図１０】
2006079707.tif 000012
【図１１】
2006079707.tif 000013
【図１２】
2006079707.tif 000014
【図１３】
2006079707.tif 000015
【図１４】
2006079707.tif 000016
【図１５】
2006079707.tif 000017
【図１６】
2006079707.tif 000018
【図１７】
2006079707.tif 000019
【図１８】
2006079707.tif 000020
【図１９】
2006079707.tif 000021